(57)【要約】【課題】  ドレンの流入によってフロートが上昇するときにレバーの単位辺りの回動角度に対する弁体の開弁リフトの増加率を弁体が開き始めるときに小さくできるようにする。【解決手段】  入口１と出口２を有する本体３に蓋体４を締結して内部に弁室６を有するケーシングを構成する。弁室６と出口２を連通する第１弁口７及び第２弁口８を弁室６の下部に形成する。弁室６内に支持された揺動軸１０を中心として回動するレバー１１を設ける。弁室６内の液位に応じて浮上降下するフロート１２をレバー１１の一端部側に連結する。揺動軸１０と平行な連結軸１３をレバー１１の他端部側に支持する。連結軸１３を介してレバー１１に連結され第１弁口７及び第２弁口８を開閉する弁体１５を設ける。弁体１５が第１弁口７及び第２弁口８を閉止した時に連結軸１３が揺動軸１０を中心とする円であって揺動軸１０と連結軸１３との距離を半径とする円の最下点にある。【選択図】  図１
2014214848.tif 000002
【特許請求の範囲】
【請求項１】
ケーシングで入口と出口を形成するとともに、前記入口と前記出口の間に弁室を形成し、
前記弁室と前記出口とを連通する弁口を前記弁室の下部に形成し、
前記弁室内に支持された揺動軸を中心として回動するレバーを設け、
前記レバーの一端部側に弁室内の液位に応じて浮上降下するフロートを連結し、
前記レバーの他端部側に支持されるとともに、前記揺動軸と平行な連結軸を設け、
前記連結軸を介して前記レバーに連結されるとともに、前記弁口を開閉する弁体を設け、
前記弁体が前記弁口を閉止した時に前記連結軸が前記揺動軸を中心とする円であって前記揺動軸と前記連結軸との距離を半径とする円の最下点にある
レバーフロート式ドレントラップ。
【請求項２】
前記連結軸を中心として回動する連結部材を設け、
前記連結部材に支持されるとともに、前記揺動軸と平行な弁軸を設け、
前記弁体が前記弁軸を中心として回動する
請求項１に記載のレバーフロート式ドレントラップ。
【請求項３】
前記弁体が前記弁口を閉止した時に前記弁軸が前記揺動軸と前記連結軸とを結ぶ直線の延長線上にある
請求項２に記載のレバーフロート式ドレントラップ。
【発明の詳細な説明】
【技術分野】
【０００１】
本発明は、蒸気配管系や圧縮空気配管系やガス配管系に発生するドレンをフロートを用いて自動的に排出するレバーフロート式ドレントラップに関する。
【背景技術】
【０００２】
従来のレバーフロート式ドレントラップは、例えば特許文献１に開示されている。これは、ケーシングで入口と出口を形成するとともに、前記入口と前記出口の間に弁室を形成し、前記弁室と前記出口とを連通する弁口を前記弁室の下部に形成し、前記弁室内に支持された揺動軸を中心として回動するレバーを設け、前記レバーの一端部側に弁室内の液位に応じて浮上降下するフロートを連結し、前記レバーの他端部側に支持されるとともに、前記揺動軸と平行な連結軸を設け、前記連結軸を介して前記レバーに連結されるとともに、前記弁口を開閉する弁体を設け、前記連結軸が前記揺動軸と前記フロートの重心を結ぶ直線上にあるものである。
【先行技術文献】
【特許文献】
【０００３】
【特許文献１】特開２０１０−２４２９２３号公報
【発明の概要】
【発明が解決しようとする課題】
【０００４】
上記従来のレバーフロート式ドレントラップにおいては、ドレンの流入によってフロートが上昇するときにレバーの単位辺りの回動角度に対する弁体の開弁リフトの増加率が、弁体が開き始めるときに大きいため、急激なドレンの排出によって出口側でウォータハンマを生じることがあった。
【０００５】
したがって本発明が解決しようとする課題は、ドレンの流入によってフロートが上昇するときにレバーの単位辺りの回動角度に対する弁体の開弁リフトの増加率を弁体が開き始めるときに小さくできるレバーフロート式ドレントラップを提供することである。
【課題を解決するための手段】
【０００６】
上記の課題を解決するために、本発明のレバーフロート式ドレントラップは、
ケーシングで入口と出口を形成するとともに、前記入口と前記出口の間に弁室を形成し、
前記弁室と前記出口とを連通する弁口を前記弁室の下部に形成し、
前記弁室内に支持された揺動軸を中心として回動するレバーを設け、
前記レバーの一端部側に弁室内の液位に応じて浮上降下するフロートを連結し、
前記レバーの他端部側に支持されるとともに、前記揺動軸と平行な連結軸を設け、
前記連結軸を介して前記レバーに連結されるとともに、前記弁口を開閉する弁体を設け、
前記弁体が前記弁口を閉止した時に前記連結軸が前記揺動軸を中心とする円であって前記揺動軸と前記連結軸との距離を半径とする円の最下点にある。
【発明の効果】
【０００７】
本発明によれば、弁体が弁口を閉止した時に連結軸が揺動軸を中心とする円であって揺動軸と連結軸との距離を半径とする円の最下点にあるので、ドレンの流入によってフロートが上昇するときにレバーの単位辺りの回動角度に対する弁体の開弁リフトの増加率を弁体が開き始めるときに小さくでき、ドレンの排出によって出口側でウォータハンマを生じ難くすることができるという優れた効果を生じる。
【図面の簡単な説明】
【０００８】
【図１】本発明の実施の形態に係わるレバーフロート式ドレントラップの断面図である。
【発明を実施するための形態】
【０００９】
以下、本発明の実施の形態について、図１を参照して説明する。本発明のレバーフロート式ドレントラップは、入口１と出口２を有する本体３に蓋体４をボルト５で締結して内部に弁室６を有するケーシングを構成する。弁室６と出口２を連通する第１弁口７及び第２弁口８を上下同一軸上に有する弁座部材９を弁室６の下部の本体３に図示しないねじにより取り付ける。入口１は弁室６の下部に開口し、出口２は第１弁口７及び第２弁口８を介して弁室６の下部に開口する。第１弁口７及び第２弁口８はそれぞれ鉛直方向に開口する。
【００１０】
本体３の弁室６内に揺動軸１０を支持し、揺動軸１０にレバー１１の右端部側を回動可能に連結する。レバー１１の左端部側に弁室６内の液位に応じて浮上降下する中空球形のフロート１２を連結する。レバー１１の右端部側の揺動軸１０の下方に揺動軸１０と平行な連結軸１３を支持し、連結軸１３に連結部材１４の上部を回動可能に連結する。連結部材１４は手前側と向う側の平行に対向した２枚の板から構成する。連結部材１４の下部は弁体１５の弁棒１６の上端部に支持された揺動軸１０と平行な弁軸１７に回動可能に連結する。弁体１５は第１弁口７を上方の弁室６側から開閉する第１弁体１８と、第２弁口８を上方の出口２側から開閉する第２弁体１９と、第１弁体１８と第２弁体１９を連結する弁棒１６とから構成する。弁体１５が第１弁口７及び第２弁口８を閉止した時に、連結軸１３は揺動軸１０の真下、すなわち、連結軸１３は揺動軸１０を中心とする円であって揺動軸１０と連結軸１３との距離を半径とする円の最下点にある。また、弁体１５が第１弁口７及び第２弁口８を閉止した時に、弁軸１７は連結軸１３の真下、すなわち、弁軸１７は揺動軸１０と連結軸１３とを結ぶ直線の延長線上にある。そして、弁体１５が第１弁口７及び第２弁口８を全開した時に、連結軸１３は揺動軸１０の概略４５度左下方にあり、弁軸１７は連結軸１３の真下にある。これとは別に、弁体１５が第１弁口７及び第２弁口８を閉止した時に、連結軸１３は揺動軸１０の真下にあり、弁軸１７は連結軸１３の斜め下方にあるようにしても良い。また、これらとは別に、連結部材１４と弁体１５とを一体に形成しても良い。
【００１１】
弁室６内の液位が低い場合は、図１に示すようにフロート１２は降下し、第１弁体１８及び第２弁体１９が第１弁口７及び第２弁口８を閉止している。このとき、連結軸１３は揺動軸１０の真下、すなわち、連結軸１３は揺動軸１０を中心とする半径の最下点にあり、弁軸１７は連結軸１３の真下、すなわち、弁軸１７は揺動軸１０と連結軸１３とを結ぶ直線の延長線上にある。入口１から流入するドレンによって弁室６内の液位が上昇すると、フロート１２が上動してレバー１１が揺動軸１０を中心に時計回り方向に回動する。このレバー１１の回動により、連結部材１４を介して弁体１５が上動して第１弁体１８及び第２弁体１９が第１弁口７及び第２弁口８を開く。これにより、弁室６のドレンを出口２から排出する。そして、弁体１５が第１弁口７及び第２弁口８を全開した時に、連結軸１３は揺動軸１０の概略４５度左下方にあり、弁軸１７は連結軸１３の真下にある。この弁体１５が第１弁口７及び第２弁口８を閉止した状態から全開した状態まで移行する過程で、レバー１１の単位辺りの回動角度に対する弁体１５の開弁リフトの増加率は弁体１５が第１弁口７及び第２弁口８を開き始めるときに小さくなり、弁体１５による第１弁口７及び第２弁口８の開度が大きくなるにしたがって大きくなる。
【００１２】
ドレンの排出により弁室６内の液位が低下すると、フロート１２が下動してレバー１１が揺動軸１０を中心に反時計回り方向に回動する。このレバー１１の回動により、連結部材１４を介して弁体１５が下動して第１弁体１８及び第２弁体１９が第１弁口７及び第２弁口８を閉止する。これにより、気体の漏出を防止する。
【産業上の利用可能性】
【００１３】
本発明は、蒸気配管系や圧縮空気配管系やガス配管系に発生するドレンをフロートを用いて自動的に排出するレバーフロート式ドレントラップに利用することができる。
【符号の説明】
【００１４】
１  入口
２  出口
３  本体
４  蓋体
６  弁室
７  第１弁口
８  第２弁口
９  弁座部材
１０  揺動軸
１１  レバー
１２  フロート
１３  連結軸
１４  連結部材
１５  弁体
１６  弁棒
１７  弁軸
１８  第１弁体
１９  第２弁体
【図１】
2014214848.tif 000003